(57)【要約】【課題】複数の操作者で１台の超音波診断装置を操作可能にする。【解決手段】第１医師（Ｄ１）は、超音波プローブ（１）と送受信部（２）と第１表示部（３１）と第１操作部（４１）を用いて被検体を走査する。走査により得られたデータは、送受信部（２）から制御部（５）へ送られる。送られてきたデータを基に制御部（５）は超音波画像などを生成し、第１表示部（３１）および第２表示部（３２）へ送る。送られてきた超音波画像などは第１表示部（３１）および第２表示部（３２）で表示される。第１医師（Ｄ１）は第１表示部（３１）と第１操作部（４１）を用いて被検体を診断する。第２医師（Ｄ２）は第２表示部（３２）と第２操作部（４２）を用いて被検体を診断する。【効果】複数の医師で患者を同時に超音波診断することが出来る。【選択図】図６
2009050372.tif 000002
【特許請求の範囲】
【請求項１】
超音波探触子と、前記超音波探触子を駆動して被検体を超音波ビームで走査する送受信手段と、前記走査により得られた受信信号を基に超音波画像を生成する画像生成手段と、前記超音波画像を表示する表示手段と、操作者が指示を入力するための第１操作手段および第２操作手段と、前記第１操作手段から入力された指示および前記第２操作手段から入力された指示を受け付け該指示に従って前記送受信手段および前記画像生成手段および前記表示手段を制御する制御手段とを具備したことを特徴とする超音波診断装置。
【請求項２】
請求項１に記載の超音波診断装置において、前記第２操作手段から入力しうる指示の種類が前記第１操作手段から入力しうる指示の種類と同じであることを特徴とする超音波診断装置。
【請求項３】
請求項１に記載の超音波診断装置において、前記第２操作手段から入力しうる指示の種類が前記第１操作手段から入力しうる指示の種類の一部のみ許可されていることを特徴とする超音波診断装置。
【請求項４】
請求項１に記載の超音波診断装置において、前記第２操作手段から入力しうる指示の種類が前記第１操作手段から入力しうる指示の種類と同じか又は一部かを切換可能であることを特徴とする超音波診断装置。
【請求項５】
請求項１から請求項４のいずれかに記載の超音波診断装置において、前記第２操作手段から入力しうる指示の種類を選択可能であることを特徴とする超音波診断装置。
【請求項６】
超音波探触子と、前記超音波探触子を駆動して被検体を超音波ビームで走査する送受信手段と、前記走査により得られた受信信号を基に超音波画像を生成する画像生成手段と、前記超音波画像を表示する第１表示手段および第２表示手段と、操作者が指示を入力するための第１操作手段および第２操作手段と、前記第１操作手段から入力された指示および前記第２操作手段から入力された指示を受け付け該指示に従って前記送受信手段および前記画像生成手段および前記第１表示手段および前記第２表示手段を制御する制御手段とを具備したことを特徴とする超音波診断装置。
【請求項７】
請求項６に記載の超音波診断装置において、前記第２操作手段から前記第１表示手段に対する指示を入力不可能であることを特徴とする超音波診断装置。
【請求項８】
請求項６または請求項７に記載の超音波診断装置において、前記第１操作手段から前記第２表示手段に対する指示を入力不可能であることを特徴とする超音波診断装置。
【請求項９】
請求項６から請求項８のいずれかに記載の超音波診断装置において、前記第２操作手段から入力しうる指示の種類が前記第１操作手段から入力しうる指示の種類の一部を含まないことを特徴とする超音波診断装置。
【請求項１０】
請求項９に記載の超音波診断装置において、前記第２操作手段から入力しうる指示の種類を選択可能であることを特徴とする超音波診断装置。
【請求項１１】
請求項１０に記載の超音波診断装置において、前記第２操作手段から入力しうる指示の種類は、前記第１操作手段から入力しうる指示の種類の一部は選択不可能であることを特徴とする超音波診断装置。
【請求項１２】
請求項６に記載の超音波診断装置において、前記第２操作手段から入力しうる指示の種類が前記第１操作手段から入力しうる指示の種類を全部を含むことを特徴とする超音波診断装置。
【請求項１３】
請求項６に記載の超音波診断装置において、前記第２操作手段から入力しうる指示の種類が前記第１操作手段から入力しうる指示の種類の全部を含むか又は一部を含まないかを切換可能であることを特徴とする超音波診断装置。
【請求項１４】
請求項１３に記載の超音波診断装置において、前記第２操作手段から入力しうる指示の種類を選択可能であることを特徴とする超音波診断装置。
【請求項１５】
請求項１４に記載の超音波診断装置において、前記第２操作手段から入力しうる指示の種類は、前記第１操作手段から入力しうる指示の種類の全部の中から選択可能であることを特徴とする超音波診断装置。
【請求項１６】
請求項１４に記載の超音波診断装置において、前記第２操作手段から入力しうる指示の種類が前記第１操作手段から入力しうる指示の種類の一部を含まないように切り換えた状態で前記第２操作手段から入力しうる指示の種類を選択する際、前記第１操作手段から入力しうる指示の種類の一部が選択不可能であることを特徴とする超音波診断装置。
【発明の詳細な説明】
【技術分野】
【０００１】
本発明は、超音波診断装置に関し、さらに詳しくは、複数の操作者で１台の超音波診断装置を操作可能な超音波診断装置に関する。
【背景技術】
【０００２】
従来、操作ユニットから無線通信によって超音波診断装置本体ユニットを操作しうる超音波診断装置が知られている（例えば、特許文献１、２参照。）。
【特許文献１】特開２００２−０８５４０５号公報
【特許文献２】特開２００３−１５３９０３号公報
【発明の開示】
【発明が解決しようとする課題】
【０００３】
例えばソノグラファー（被検体を超音波で走査する作業を行う人）を医師が実地教育する場合、患者の近くに位置するソノグラファーとやや離れて位置する医師とが実質的に同時に同じ超音波診断装置を操作できるのが好ましい。
しかし、上記従来の超音波診断装置では、操作ユニットと超音波診断装置本体ユニットが１対１であったため、上記のような場合に対応できない問題点があった。
そこで、本発明の目的は、複数の操作者が１台の超音波診断装置を操作可能な超音波診断装置を提供することにある。
【課題を解決するための手段】
【０００４】
第１の観点では、本発明は、超音波探触子と、前記超音波探触子を駆動して被検体を超音波ビームで走査する送受信手段と、前記走査により得られた受信信号を基に超音波画像を生成する画像生成手段と、前記超音波画像を表示する表示手段と、操作者が指示を入力するための第１操作手段および第２操作手段と、前記第１操作手段から入力された指示および前記第２操作手段から入力された指示を受け付け該指示に従って前記送受信手段および前記画像生成手段および前記表示手段を制御する制御手段とを具備したことを特徴とする超音波診断装置を提供する。
上記第１の観点による超音波診断装置では、第１操作手段を第１操作者が操作し、第２操作手段を第２操作者が操作することで、１台の超音波診断装置を複数の操作者が操作可能となる。従って、例えば患者の近くに位置するソノグラファーとやや離れて位置する医師とが実質的に同時に超音波診断装置を操作できる。
なお、第ｉ（≧３）操作手段を具備してもよい。
【０００５】
第２の観点では、本発明は、前記第１の観点による超音波診断装置において、前記第２操作手段から入力しうる指示の種類が前記第１操作手段から入力しうる指示の種類と同じであることを特徴とする超音波診断装置を提供する。
上記第２の観点による超音波診断装置では、第１操作手段から入力しうる指示の種類と第２操作手段から入力しうる指示の種類とが同じであるから、例えば１台の超音波診断装置を同じ職掌の複数の操作者（例えば２人の医師）が操作するのに好適である。
【０００６】
第３の観点では、本発明は、前記第１の観点による超音波診断装置において、前記第２操作手段から入力しうる指示の種類が前記第１操作手段から入力しうる指示の種類の一部のみ許可されていることを特徴とする超音波診断装置を提供する。
上記第３の観点による超音波診断装置では、第１操作手段から入力しうる指示の種類と第２操作手段から入力しうる指示の種類とに差を付けることが出来るから、例えば１台の超音波診断装置を異なる職掌の複数の操作者（例えばソノグラファーと医師）が操作するのに好適である。
【０００７】
第４の観点では、本発明は、前記第１の観点による超音波診断装置において、前記第２操作手段から入力しうる指示の種類が前記第１操作手段から入力しうる指示の種類と同じか又は一部かを切換可能であることを特徴とする超音波診断装置を提供する。
上記第４の観点による超音波診断装置では、第１操作手段から入力しうる指示の種類と第２操作手段から入力しうる指示の種類とを同じにしたり、異ならせたりすることが可能であるから、例えば１台の超音波診断装置を同じ職掌の複数の操作者（例えば２人の医師）が操作するのにも、異なる職掌の複数の操作者（例えばソノグラファーと医師）が操作するのにもいずれにも対応できる。
【０００８】
第５の観点では、本発明は、前記第１から第４のいずれかの観点による超音波診断装置において、前記第２操作手段から入力しうる指示の種類を選択可能であることを特徴とする超音波診断装置を提供する。
上記第５の観点による超音波診断装置では、第２操作手段から入力しうる指示の種類を選択することで、第２操作手段から入力しうる指示の種類をプリセットすることが出来る。
【０００９】
第６の観点では、本発明は、超音波探触子と、前記超音波探触子を駆動して被検体を超音波ビームで走査する送受信手段と、前記走査により得られた受信信号を基に超音波画像を生成する画像生成手段と、前記超音波画像を表示する第１表示手段および第２表示手段と、操作者が指示を入力するための第１操作手段および第２操作手段と、前記第１操作手段から入力された指示および前記第２操作手段から入力された指示を受け付け該指示に従って前記送受信手段および前記画像生成手段および前記第１表示手段および前記第２表示手段を制御する制御手段とを具備したことを特徴とする超音波診断装置を提供する。
上記第６の観点による超音波診断装置では、第１表示手段を見ながら第１操作手段を第１操作者が操作し、第２表示手段を見ながら第２操作手段を第２操作者が操作することで、１台の超音波診断装置を複数の操作者が操作可能となる。また、従って、例えば患者の近くに位置するソノグラファーとやや離れて位置する医師とが実質的に同時に超音波診断装置を操作できる。
なお、第ｉ（≧３）表示手段および第ｉ操作手段を具備してもよい。
【００１０】
第７の観点では、本発明は、前記第６の観点による超音波診断装置において、前記第２操作手段から前記第１表示手段に対する指示を入力不可能であることを特徴とする超音波診断装置を提供する。
上記第７の観点による超音波診断装置では、第１表示手段の機能は第２操作手段から変更できないので、第１表示手段は第１操作手段の専用とすることが出来る。
【００１１】
第８の観点では、本発明は、前記第６または第７の観点による超音波診断装置において、前記第１操作手段から前記第２表示手段に対する指示を入力不可能であることを特徴とする超音波診断装置を提供する。
上記第８の観点による超音波診断装置では、第２表示手段の機能は第１操作手段から変更できないので、第２表示手段は第２操作手段の専用とすることが出来る。
【００１２】
第９の観点では、本発明は、前記第６から前記第８のいずれかの観点による超音波診断装置において、前記第２操作手段から入力しうる指示の種類が前記第１操作手段から入力しうる指示の種類の一部を含まないことを特徴とする超音波診断装置を提供する。
上記第９の観点による超音波診断装置では、第１操作手段から入力しうる指示の種類と第２操作手段から入力しうる指示の種類とに差があるから、例えば１台の超音波診断装置を異なる職掌の複数の操作者（例えばソノグラファーと医師）が操作するのに好適である。
【００１３】
第１０の観点では、本発明は、前記第９の観点による超音波診断装置において、前記第２操作手段から入力しうる指示の種類を選択可能であることを特徴とする超音波診断装置を提供する。
上記第１０の観点による超音波診断装置では、第２操作手段から入力しうる指示の種類を選択することで、第２操作手段から入力しうる指示の種類をプリセットすることが出来る。
【００１４】
第１１の観点では、本発明は、前記第１０の観点による超音波診断装置において、前記第２操作手段から入力しうる指示の種類は、前記第１操作手段から入力しうる指示の種類の一部は選択不可能であることを特徴とする超音波診断装置を提供する。
上記第１１の観点による超音波診断装置では、第１操作手段から入力しうる指示の種類と第２操作手段から入力しうる指示の種類とに差を付けることが出来るから、例えば１台の超音波診断装置を異なる職掌の複数の操作者（例えばソノグラファーと医師）が操作するのに好適である。
【００１５】
第１２の観点では、本発明は、前記第６の観点による超音波診断装置において、前記第２操作手段から入力しうる指示の種類が前記第１操作手段から入力しうる指示の種類を全部を含むことを特徴とする超音波診断装置を提供する。
上記第１２の観点による超音波診断装置では、第１操作手段から入力しうる指示の種類と第２操作手段から入力しうる指示の種類とが同じであるから、例えば１台の超音波診断装置を同じ職掌の複数の操作者（例えば２人の医師）が操作するのに好適である。
【００１６】
第１３の観点では、本発明は、前記第６の観点による超音波診断装置において、前記第２操作手段から入力しうる指示の種類が前記第１操作手段から入力しうる指示の種類の全部を含むか又は一部を含まないかを切換可能であることを特徴とする超音波診断装置を提供する。
上記第１３の観点による超音波診断装置では、第１操作手段から入力しうる指示の種類と第２操作手段から入力しうる指示の種類とを同じにしたり、異ならせたりすることが可能であるから、例えば１台の超音波診断装置を同じ職掌の複数の操作者（例えば２人の医師）が操作するのにも、異なる職掌の複数の操作者（例えばソノグラファーと医師）が操作するのにもいずれにも対応できる。
【００１７】
第１４の観点では、本発明は、前記第１３の観点による超音波診断装置において、前記第２操作手段から入力しうる指示の種類を選択可能であることを特徴とする超音波診断装置を提供する。
上記第１４の観点による超音波診断装置では、第２操作手段から入力しうる指示の種類を選択することで、第２操作手段から入力しうる指示の種類をプリセットすることが出来る。
【００１８】
第１５の観点では、本発明は、前記第１４の観点による超音波診断装置において、前記第２操作手段から入力しうる指示の種類は、前記第１操作手段から入力しうる指示の種類の全部の中から選択可能であることを特徴とする超音波診断装置を提供する。
上記第１５の観点による超音波診断装置では、第１操作手段から入力しうる指示の種類と第２操作手段から入力しうる指示の種類とを同じにしたり、異ならせたりすることが可能であるから、例えば１台の超音波診断装置を同じ職掌の複数の操作者（例えば２人の医師）が操作するのにも、異なる職掌の複数の操作者（例えばソノグラファーと医師）が操作するのにもいずれにも対応できる。
【００１９】
第１６の観点では、本発明は、前記第１４の観点による超音波診断装置において、前記第２操作手段から入力しうる指示の種類が前記第１操作手段から入力しうる指示の種類の一部を含まないように切り換えた状態で前記第２操作手段から入力しうる指示の種類を選択する際、前記第１操作手段から入力しうる指示の種類の一部が選択不可能であることを特徴とする超音波診断装置を提供する。
上記第１６の観点による超音波診断装置では、第１操作手段から入力しうる指示の種類と第２操作手段から入力しうる指示の種類とに差を付けることが出来るから、例えば１台の超音波診断装置を異なる職掌の複数の操作者（例えばソノグラファーと医師）が操作するのに好適である。
【発明の効果】
【００２０】
本発明の超音波診断装置によれば、複数の操作者で１台の超音波診断装置を操作可能になる。
【発明を実施するための最良の形態】
【００２１】
以下、図に示す実施の形態により本発明をさらに詳細に説明する。なお、これにより本発明が限定されるものではない。
【実施例１】
【００２２】
図１は、実施例１に係る超音波診断装置１００の構成説明図である。
この超音波診断装置１００は、超音波プローブ１と、超音波プローブ１を駆動して被検体内を超音波ビームで走査する送受信部２と、超音波画像などを表示する表示部３と、操作者が指示やデータを入力するための第１操作部４１および第２操作部４２と、全体を制御する制御部５とを具備している。
【００２３】
制御部５は、第１操作部４１および第２操作部４２からの入力を受け付けるなど操作関係を制御する操作制御部５ａと、モード（例えばＢモード，ＣＦＭなど）変更や走査パラメータの変更などの走査関係を制御する走査制御部５ｃと、超音波プローブ１で得たエコー信号の処理や超音波画像の生成などを行う信号処理部５ｄと、超音波画像やメッセージを表示部３に表示するなど表示関係を制御する表示制御部５ｅと、超音波画像などを記録する記録部５ｆとを具備している。
【００２４】
操作制御部５ａは、第２操作部４２から入力しうる指示の種類を制限する操作機能フィルタ５ｂを含んでいる。つまり、第１操作部４１は超音波診断装置１００に対する全ての指示を入力しうるが、第２操作部４２は操作機能フィルタ５ｂで禁止された指示以外の指示だけを入力しうる。
【００２５】
図２に示すように、超音波プローブ１と送受信部２と第１操作部４１は、ベッド（つまり患者）の近くに位置するソノグラファーＳに合わせて配置される。第２操作部４２は、やや離れて位置する医師Ｄに合わせて配置される。表示部３は、ソノグラファーＳと医師Ｄの両方が見えるように配置される。
【００２６】
ソノグラファーＳは、超音波プローブ１と送受信部２と表示部３と第１操作部４１を用いて被検体を走査する。走査により得られたデータは、送受信部２から制御部５へ送られる。送られてきたデータを基に制御部５は超音波画像などを生成し、表示部３へ送る。送られてきた超音波画像などは表示部３で表示される。
医師Ｄは、表示部３と第２操作部４２を用いて被検体を診断する。
【００２７】
図３は、操作機能フィルタ５ｂで禁止する指示の種類をプリセットする画面を示している。
チェックを入れた機能に対する指示は禁止されるので、第２操作部４２から入力できない。一方、チェックを入れていない指示は、第２操作部４２から入力できる。
「全操作禁止解除」ボタンを押すと、全てのチェックが外れるので、第１操作部４１と第２操作部４２は同じになり、第２操作部４２からでも超音波診断装置１００に対する全ての指示を入力しうる。
「全操作禁止」ボタンを押すと、全てのチェックが入るので、第２操作部４２は無効になる。
【００２８】
実施例１の超音波診断装置１００によれば、複数の操作部４１，４２を用いて超音波診断装置１００を働かせることが出来る。また、第１操作部４１から入力しうる指示の種類と第２操作部４２から入力しうる指示の種類とを同じにしたり、異ならせたりすることが可能であるから、例えば超音波診断装置１００を同じ職掌の複数の操作者（例えば２人の医師）が操作するのにも、異なる職掌の複数の操作者（例えばソノグラファーＳと医師Ｄ）が操作するのにもいずれにも対応できる。
【実施例２】
【００２９】
図３に示すように、超音波診断装置１００に対する全ての指示のうちの一部の機能についてはチェックを外すことが出来ないようにしておけば、第１操作部４１から入力しうる指示の種類と第２操作部４２から入力しうる指示の種類とに差を付けることが出来る。
【実施例３】
【００３０】
図５は、実施例３に係る超音波診断装置２００の構成説明図である。
この超音波診断装置２００は、超音波プローブ１と、超音波プローブ１を駆動して被検体内を超音波ビームで走査する送受信部２と、超音波画像などを表示する第１表示部３１および第２表示部３２と、操作者が指示やデータを入力するための第１操作部４１および第２操作部４２と、全体を制御する制御部５とを具備している。
【００３１】
制御部５は、第１操作部４１および第２操作部４２からの入力を受け付けるなど操作関係を制御する操作制御部５ａと、モード（例えばＢモード，ＣＦＭなど）変更や走査パラメータの変更などの走査関係を制御する走査制御部５ｃと、超音波プローブ１で得たエコー信号の処理や超音波画像の生成などを行う信号処理部５ｄと、超音波画像やメッセージを第１表示部３１および第２表示部３２に表示するなど表示関係を制御する表示制御部５ｅと、超音波画像などを記録する記録部５ｆとを具備している。
【００３２】
操作制御部５ａは、第２操作部４２から入力しうる指示の種類を制限する操作機能フィルタ５ｂを含んでいる。つまり、第１操作部４１は超音波診断装置１００に対する全ての指示を入力しうるが、第２操作部４２は操作機能フィルタ５ｂで禁止された指示以外の指示だけを入力しうる。
【００３３】
図６に示すように、超音波プローブ１と送受信部２と第１表示部３１と第１操作部４１は、ベッド（つまり患者）の近くに位置する医師Ｄ１に合わせて配置される。第２表示部３２と第２操作部４２は、やや離れて位置する医師Ｄ２に合わせて配置される。
【００３４】
医師Ｄ１は、超音波プローブ１と送受信部２と第１表示部３１と第１操作部４１を用いて被検体を走査する。走査により得られたデータは、送受信部２から制御部５へ送られる。送られてきたデータを基に制御部５は超音波画像などを生成し、第１表示部３１および第２表示部３２へ送る。送られてきた超音波画像などは第１表示部３１および第２表示部３２で表示される。
医師Ｄ１は、第１表示部３１と第１操作部４１を用いて被検体を診断する。
医師Ｄ２は、第２表示部３２と第２操作部４２を用いて被検体を診断する。
【００３５】
図７は、操作機能フィルタ５ｂで禁止する指示の種類をプリセットする画面を示している。
チェックを入れた機能に対する指示は禁止されるので、第２操作部４２から入力できない。一方、チェックを入れていない指示は、第２操作部４２から入力できる。
「全操作禁止解除」ボタンを押すと、全てのチェックが外れるので、第１操作部４１と第２操作部４２は同じになり、第２操作部４２からでも超音波診断装置２００に対する全ての指示を入力しうる。
「全操作禁止」ボタンを押すと、全てのチェックが入るので、第２操作部４２は無効になる。
【００３６】
実施例３の超音波診断装置２００によれば、複数の表示部３１，３２および複数の操作部４１，４２を用いて超音波診断装置２００を働かせることが出来る。また、第１操作部４１から入力しうる指示の種類と第２操作部４２から入力しうる指示の種類とを同じにしたり、異ならせたりすることが可能であるから、例えば超音波診断装置２００を同じ職掌の複数の操作者（例えば２人の医師Ｄ１，Ｄ２）が操作するのにも、異なる職掌の複数の操作者（例えばソノグラファーと医師）が操作するのにもいずれにも対応できる。
【実施例４】
【００３７】
図８に示すように、超音波診断装置２００に対する全ての指示のうちの一部の機能についてはチェックを外すことが出来ないようにしておけば、第１操作部４１から入力しうる指示の種類と第２操作部４２から入力しうる指示の種類とに差を付けることが出来る。
【実施例５】
【００３８】
上述の実施例３，４において、第１操作部４１から第２表示部３２に対する指示を入力不可とし、第２操作部４２から第１表示部３１に対する指示を入力不可としてもよい。
第１表示部３１は第１操作部４１の専用とし、第２表示部３２は第２操作部４２の専用とすることが出来る。
【産業上の利用可能性】
【００３９】
本発明の超音波診断装置は、ソノグラファーを医師が実地教育する場合や、一人の患者を複数の医師が超音波診断する場合に利用できる。
【図面の簡単な説明】
【００４０】
【図１】実施例１に係る超音波診断装置の構成を示すブロック図である。
【図２】実施例１に係る超音波診断装置の配置を示すレイアウト図である。
【図３】実施例１に係る超音波診断装置の設定画面を示す例示図である。
【図４】実施例２に係る超音波診断装置の設定画面を示す例示図である。
【図５】実施例３に係る超音波診断装置の構成を示すブロック図である。
【図６】実施例３に係る超音波診断装置の配置を示すレイアウト図である。
【図７】実施例３に係る超音波診断装置の設定画面を示す例示図である。
【図８】実施例４に係る超音波診断装置の設定画面を示す例示図である。
【符号の説明】
【００４１】
１                          超音波プローブ
２                          送受信部
３                          表示部
５                          制御部
５ａ                        操作制御部
５ｂ                        操作機能フィルタ
３１                        第１表示部
３２                        第２表示部
４１                        第１操作部
４２                        第２操作部
１００，２００              超音波診断装置
【図１】
2009050372.tif 000003
【図２】
2009050372.tif 000004
【図３】
2009050372.tif 000005
【図４】
2009050372.tif 000006
【図５】
2009050372.tif 000007
【図６】
2009050372.tif 000008
【図７】
2009050372.tif 000009
【図８】
2009050372.tif 000010